(57)【特許請求の範囲】
【請求項１】
家具であって、
電動駆動手段により、または前記電動駆動手段の補助により、随意に開閉が可能である、抜き差し可能な複数の挿入要素および／またはドアを備え、
当該家具の少なくとも１つ以上の表面または少なくとも１つの表面の一部の領域が、少なくとも１つの単層または多層の平面的な機能性コーティング（１０）を備え、
前記機能性コーティングが少なくとも１つの表示層（１４又は１５）を機能層として備え、
前記機能層がさらに入力にも使用可能であり、
前記機能性コーティングは、少なくとも１つの表示機能を備える多層機能性膜として配置され、該機能性膜は、制御ユニットと接続されているか、前記制御ユニットが備えられており、前記膜及び膜の層が全体的に柔軟性を有しており、
前記機能性コーティングが、前記表示層（１４又は１５）に加えて、少なくとも１つの装飾層（２５）を備えることを特徴とする、家具。
【請求項２】
前記少なくとも１つの表示層（１４又は１５）が、少なくとも１つの平面的に配置された有機発光ダイオード層および／または電子ペーパー層を備えることを特徴とする、請求項１に記載の家具。
【請求項３】
前記機能性コーティングが、前記表示層（１４又は１５）に加えて、少なくとも１つのタッチセンサ層（１３）を備えることを特徴とする、請求項１または２に記載の家具。
【請求項４】
前記機能性コーティングが、透明でスクラッチプルーフ素材で形成された保護層（１２）を、当該家具の前記表面（１１）に面さない側に備えることを特徴とする、請求項２または３に記載の家具。
【請求項５】
前記機能性コーティング（１０）が当該家具の前記家具表面（１１）に向けられる側に支持層（１６）を備えることを特徴とする、請求項１乃至４のいずれか１項に記載の家具。
【請求項６】
前記機能性コーティングの前記表示層が複数層で配置されていることを特徴とする、請求項１乃至５のいずれか１項に記載の家具。
【請求項７】
前記機能性コーティングの前記表示層が、複数層で配置され、少なくとも１つの情報表示層（１４）と少なくとも１つの装飾表示層（１５）とを備えることを特徴とする、請求項１乃至６のいずれか１項に記載の家具。
【請求項８】
前記表示層（１４および／または１５）がデータインターフェースを備えることを特徴とする、請求項１乃至７のいずれか１項に記載の家具。
【請求項９】
前記機能性コーティングの前記表示層（１４又は１５）が、それ自体複数層で配置され、電子ペーパー層とＯＬＥＤ層とを備えることを特徴とする、請求項１乃至８のいずれか１項に記載の家具。
【請求項１０】
前記機能性コーティングの少なくとも１つが、少なくとも１つの抜き差し可能な引き出し（１７）の前板（１８）の視認可能な縁部に配置されることを特徴とする、請求項１乃至９のいずれか１項に記載の家具。
【請求項１１】
前記機能性コーティング（１０）の少なくとも１つが、少なくとも１つの抜き差し可能な引き出し（１７）の、少なくとも１つの前板（１８）の視認可能な表面上に貼合されることを特徴とする、請求項１乃至１０のいずれか１項に記載の家具。
【請求項１２】
前記機能性コーティング（１０）の少なくとも１つが、抜き差し可能な引き出し（１７）のすべての前板（１８）の視認可能な表面上に貼合されることを特徴とする、請求項１乃至１１のいずれか１項に記載の家具。
【請求項１３】
前記機能性コーティング（１０）の少なくとも１つが、ウォールキャビネット（２０）の前フラップの視認可能な表面上に貼合されることを特徴とする、請求項１乃至１２のいずれか１項に記載の家具。
【請求項１４】
前記機能性コーティング（１０）の１つまたはいくつかが、当該家具の天板（１９）の少なくとも１つの視認可能な端部に貼合されることを特徴とする、請求項１乃至１３のいずれか１項に記載の家具。
【請求項１５】
前記機能性コーティング（１０）が機能性膜として配置されることを特徴とする、請求項１乃至１４のいずれか１項に記載の家具。
【請求項１６】
請求項１乃至１５のいずれか１項に記載の家具における情報の表示および／または入力、および／またはデザイン変更の方法であって、前記機能性コーティングによって前記家具における情報表示、情報入力、および／またはデザイン変更を行うことを特徴とする、方法。
【請求項１７】
前記機能性コーティングが、少なくとも１つの機能性フィールド（２８）を１つの固定位置またはさまざまな位置に表示するために使用され、前記機能性フィールドが表示要素および／または入力フィールド（３０）を家具（２７）に備え、前記家具が前記機能性コーティングとして前記表示層を備え、前記機能性コーティングが少なくとも１つの情報層すなわち表示層（１４）を備え、前記機能性コーティングがさらに入力にも使用可能であることを特徴とする、請求項１６に記載の方法。
【発明の詳細な説明】
【技術分野】
【０００１】
本発明は、特にキッチンやオフィス用の家具に関し、好ましくは、電動駆動手段により、または電動駆動手段の補助により随意に開閉が可能で、抜き差し可能な複数の挿入要素および／またはドアを備えるキャビネットに関する。
【背景技術】
【０００２】
従来技術として、独国実用新案第２０２００４０２０４９２ Ｕ１号、独国特許公開公報第１０２３６２１１ Ａ１号明細書、独国特許公開公報第１０２００６０６０７８１ Ａ１号明細書、国際公開第２００７／１２８３４１ Ａ２号明細書、米国特許出願公開第２００４／００３３３７５号明細書について説明する。
【０００３】
家具、特にキッチン、オフィス、作業場などの作業スペースに設置する家具の場合、ユーザのための情報をキャビネットに掲示することが多い。情報の掲示は例えばラベルなどによることが多いが、これは面倒をもたらすことがある。情報が変わった際にはラベルを苦労して剥がし、変更後の情報を記載した新しいラベルを貼らなくてはならないためである。
【０００４】
キャビネットには通常、回転式ドア、引き戸、フラップ、または、通常引き出しであることが多い抜き差し可能な挿入要素が備えられる。そういった挿入要素、フラップまたはドアなどは、電動駆動により、ユーザが制御要素を使って操作できることが知られている。また、そういった挿入要素や家具の内部スペースには、光源を内蔵できることも知られている。
【発明の概要】
【発明が解決しようとする課題】
【０００５】
本発明は主に上記の種類の家具をさらに発展させる目的に基づいている。
【課題を解決するための手段】
【０００６】
この目的は、請求項１の主題によって達成される。本発明はさらに請求項１８の方法を提供する。
【０００７】
これによれば、家具の少なくとも１つ以上の表面または少なくとも１つの表面の一部の領域は、少なくとも１つの単層または多層の平面的な機能性コーティングを備え、この機能性コーティングは少なくとも１つの表示層を機能層として含む。機能層は、例えばスプレー法のような既知のコーティング法により塗布するか、または１枚の化粧板の内部に貼合することが可能である。したがって、カーカス（ｃａｒｃａｓｓ）も特に視認可能な範囲において端部を越える機能性コーティングを備えることができ、機能性コーティングはさらに入力手段にも使用される。
【０００８】
機能性コーティングはさまざまな独立した層で形成することができる。本明細書で提示する機能性コーティングは、少なくとも１層のキャリア層を有し、このキャリア層は機能性コーティングを家具表面に固定するための接着層を含んでもよい。キャリア層は、前もって家具表面にラッカーの形態で塗布しておくことが可能である。
【０００９】
また、家具表面に面さない側には保護層を備えることが好ましい。保護層は、介在層を環境影響によるダメージから保護するものである。機能性コーティングは、家具の各面上に情報又は装飾を表示するための表示層を少なくとも１層含む。
【００１０】
２層の表示層を有する構成も可能である。この構成では一方の層は装飾表示層であり選択された装飾を表示する。他方の層である情報表示層は、テレビ画像やコンピューター画面内のイラストレーションなどの情報を表示するのに使用できる。装飾表示層の代わりに、恒久的装飾層を、キャリア層に加えて、またはキャリア層上に、貼合することもできる。必要に応じて、恒久的装飾層は情報層のイラストレーションと重ねられてもよい。
【００１１】
層複合材（ｌａｙｅｒ ｃｏｍｐｏｓｉｔｅ）にはタッチセンサ層が含まれることが好ましく、効果的である。タッチセンサ層はユーザが家具またはその他の電化製品の機能を制御するのに使用される。タッチセンサ層は表示層を制御することも可能である。
【００１２】
表示層は、照明機能も内蔵することができる。
【００１３】
また、タッチセンサ層と１層の表示層を結合させて、両方の機能を持つ１層を形成することができる。
【００１４】
複数の表示層を使用して、異なるＯＬＥＤ（有機発光ダイオード）によってさまざまな色を持つ家具を提供することもできる。この場合、ＯＬＥＤはそれぞれ一色のみを発するよう構成可能である。
【００１５】
この機能性コーティングは、少なくとも１つの表示機能を備える多層機能性膜として配置されることが好ましい。機能性膜は、それ自体が情報を含むイラストレーションを表示するのに使用でき、またデザイン要素としても使用できる。また、情報は選択的に変更が可能である。この目的のために、機能性膜（または表示膜層やタッチセンサ膜層などの、機能性コーティングを作動させる層）は、制御ユニット（例えばマイクロプロセッサ）と接続されているか、制御ユニットが備えられていることが好ましい。機能性膜は、有線、無線のいずれかで作動させることができる。
【００１６】
本発明の変形例としては、１つまたは複数の機能性膜が、データ転送の範囲内で新しい情報（操作情報または装飾）をロードできるように外部から作動させることができるとき特に効果的である。さらにエネルギー源（バッテリー、コンデンサ）を備えるか、エネルギー源と接続されていることが好ましい。
【００１７】
表示膜層は、装飾や情報などのイラストレーション表示に使用する際に卓越しており、ラベルの場合とは異なり、家具の外観を損なうことなく、外観を最適化することが好ましい。
【００１８】
「膜」または「膜層」の用語について、膜層は、多少湾曲した表面における領域にも使用可能であるよう、全体的に一定の柔軟性を有すると理解されたい。
【００１９】
本発明の効果的な変形例によれば、機能性膜の表示膜層は、それ自体がいくつかの層を備える形で配置され、少なくとも１つの情報表示膜層および少なくとも１つのデザイン表示膜層を含むことができる。
【００２０】
少なくとも情報表示層がデータインターフェースを含むと、効果的である。データインターフェースはデザイン表示膜層に備えることも可能であるが、必須ではない。該データインターフェースは、各表示を変更するために、少なくともディスプレイに対するデータ入力が可能となっている。
【００２１】
デザイン表示膜層（特にＯＬＥＤ（有機発光ダイオード）としての）を使用する際、家具の表面全体または家具全体を被覆して、デザイン表示膜層により家具に１色以上の色を持たせたり、図形などを表示したりするために使用される。デザイン要素はまた、発光素子として配置して照明効果を持たせることも可能である。
【００２２】
情報表示膜層を表示要素として配置し、情報を絵文字、ガイダンスなど、ユーザに見えるように表示することが好ましい。
【００２３】
機能性膜は選択的にタッチセンサ機能層を備えてもよく、既知であり、たとえば携帯電話やコンピューターのタッチセンサ表示に使用されているような効果がタッチセンサ膜層によって追加される。この場合、この層を使用して入力を行い、それによって色やデザインを変え、たとえば、操作情報を得たり、たとえばドアや引き出しを開ける駆動装置などの電気機器を作動させたりすることができる。そのために、そういった機器との有線または無線接続がなされる。またこの層は電力が供給されなくてはならず、データインターフェースを備えるべきである。
【００２４】
ＯＬＥＤは平面的で比較的薄く、発光部材は有機半導体物質で形成されるが、膜状に製造されていてもよい。
【００２５】
したがって有機半導体物質は、本発明を実施するのに特に好適である。ＯＬＥＤの材料特性により、曲げなどの変形が可能である。
【００２６】
ｅペーパーとしても知られる電子ペーパーはディスプレイであり、見た目が、紙の印刷物のような印象を与える。電子ペーパーは柔軟性のある膜層として製造可能である。通常、テキストや画像は、最初に電子ペーパーに表示された後は、電圧を印加しなくともその情報が保持される。
【００２７】
電子ペーパーは、紙を使用したときのように、インクや色などによって形成された装飾を再現できる。また、通常の紙と同様、光も反射する。テキストや装飾が、好ましいことに、恒久的に、電力を要さずに表示できるという点で、特に効果的である。その表示はまた、後で変更することも可能である。電子ペーパーはＯＬＥＤ技術ベースのものでよいが、他の技術によるものでもよい。結果として、特にシステムキッチンなどの固定式家具において、ユーザの要求によって、ほとんど労力を要さずに、表示を変更することができる。
【００２８】
ＯＬＥＤの造影素子と外面との距離が短いため、観察者には、どの角度からも装飾が同じように見えるという点で、特に効果的である。
【００２９】
この装飾は、静的表示のためちらつきがないように見える。電子ペーパーには柔軟性があるため、各表面の形状に合わせることが可能である。さらに、ＯＬＥＤは、たとえば現在の天気を表示する比較的小さな表示部から比較的大きな表示パネルや広告板表面といった、さまざまなサイズのものを製造できる点で、特に効果的である。
【００３０】
最後に、ＯＬＥＤの使用は、表示の生成や保持にエネルギーをほとんど要しないことから、エネルギー節約効果もある。電流フローは、画像や装飾の内容を変更する際にのみ使用される。
【００３１】
造影要素は反射型のため、画像や装飾は、通常の周辺光や、日光の影響下であっても、非常によく見える。
【００３２】
好ましい実施形態では、機能性膜の層複合材は、表示膜層と、タッチセンサ要素または制御盤を形成する膜または膜層を含む。この配置に、家具に面さない側に備えられた保護層と、家具に対向する接着層を補足すると、適正かつ効果的である。
【００３３】
この層複合材は、接着層によって、特に単純な方法で家具表面に固定できる。この層複合材を家具に貼合する前に、接着層を確実に保護するため、例えば取り外し可能なカバーストリップで保護される。
【００３４】
上記記載の実施形態における層複合材は、非常に薄く可撓性ないしは柔軟性を有することが好ましく、それによって家具部材上に窪みや切削部分などを設けることなく家具の適切な場所に固定できる。また、曲面に貼合することも可能である。
【００３５】
また、表示膜層を複数層で配置して、情報表示用のｅペーパー層およびＯＬＥＤ層を設けることにより、発光効果を持たせることも可能である。
【００３６】
また別の実施形態においては、抜き差し可能な複数の引き出しを備える家具は、少なくとも引き出しの前板は少なくとも１つの機能性膜を備える。この機能性膜は、前板の視認可能な縁部の１つに配置されることが好ましい。引き出しを押し入れると、この機能性膜は不可視、すなわち、覆われる。上記の効果は、引き出しを開ける際に活用できる。本実施形態において、機能性膜は、主にユーザへの情報提供に使用されるものである。例えば、引き出しにはさまざまなアイテムが格納されるため、すべての引き出しの前板に該機能性膜を少なくとも１つ備えることが効果的である。上記記載の実施形態は特に家庭用家具に好適である。
【００３７】
特にキッチン用ユニット家具は、各キャビネットが相互に近接して配置された複数のベースキャビネットと、ベースキャビネットから離れた上部に配置された１つ以上のウォールキャビネットから成る。そういった家具では、少なくとも１つの機能性膜、好ましくは複数の機能性膜が、ベースキャビネット天板の前端垂直面に取り付けられる。少なくとも１つの機能性膜が各ベースキャビネットと適切に関連付けられる。
【００３８】
あるいは、少なくとも１つの機能性膜を、家具引き出しの前板の各可視面に配置することも可能である。キッチン家具の場合は、少なくとももう１つの機能性膜が、各ウォールキャビネットの前フラップまたはドアの外側に視認可能に配置される。
【００３９】
そのため制御要素および情報ディスプレイを機能性コーティングの全領域に提供することができる。その結果、制御要素は、各ユーザにとって人間工学的に効果的な方法で提供される。装飾もまた随意に変更が可能であり、例えば無垢のオーク材が１分間表示され、その後１分間ピンクが表示される。ユーザ特有の情報はメモリに保存でき、ユーザの認識またはユーザの選択により、機能性コーティングに転送できる。その結果、機能性コーティングを備える該家具は、各ユーザの必要条件に合わせて調節可能となる。
【００４０】
本発明はまた、家具における情報の表示および／またはデザイン（すなわち装飾および／または色）の変更の方法を提供する。該方法では、情報表示および／または家具のデザイン変更が、該機能性コーティングによってなされる。これによって、例えば家具の色を希望通りに変更することができる。また、例えば、家具の前面の色を、簡単な方法で変更することができる。
【００４１】
本発明の詳細を、添付図面を参照して以下に説明する。
【図面の簡単な説明】
【００４２】
【図１】家具部材に固定された層複合材から成る機能性膜の断面図である。
【図２】層複合材で形成され、家具部材に固定された、別の機能性膜の断面図である。
【図３】層複合材で形成され、家具部材に固定された、さらに別の機能性膜の断面図である。
【図４】抜き差し可能な複数の引き出しを備え、そのうち１つの引き出しが少なくとも一部引き出されている家具を示す図である。
【図５】図４の符号Ｖの部分の詳細を示す拡大図である。
【図６】ウォールキャビネットを示す斜視図である。
【図７】第２の実施形態における抜き差し可能な引き出しを複数備える家具を示す図である。
【図８】図７の符号ＶＩＩＩの部分の詳細を示す拡大図である。
【図９】さらに別の実施形態におけるウォールキャビネットを示す図である。
【図１０】さらに別の実施形態における抜き差し可能な引き出しを複数備える家具を示す図である。
【図１１】図１０の符号Ｘの部分の詳細を示す拡大図である。
【図１２】第３の実施形態におけるウォールキャビネットを示す図である。
【図１３】第３の実施形態における抜き差し可能な引き出しを複数備える家具を示す図である。
【図１４】図１３の符号ＸＩＶの部分の詳細を示す拡大図である。
【図１５】第４の実施形態における抜き差し可能な引き出しを複数備える家具を示す図である。
【図１６】図１５の符号ＸＶＩの部分の詳細を示す拡大図である。
【図１７】第５の実施形態における抜き差し可能な引き出しを複数備える家具を示す図である。
【図１８】図１７の符号ＸＶＩＩＩの部分の詳細を示す拡大図である。
【図１９】さまざまな状態の家具の１つを示す斜視図である。
【図２０】さまざまな状態の家具の１つを示す斜視図である。
【図２１】さまざまな状態の家具の１つを示す斜視図である。
【発明を実施するための形態】
【００４３】
図１は、家具表面（領域）に多層複合材として配置された機能性コーティング１０の断面を示す。図１に示される機能性コーティング１０ａの層構成は、以下のとおりである。
保護層１２
タッチセンサ層１３
情報表示層１４
装飾表示層１５
接着機能を持つ支持層１６
【００４４】
前記の層は、支持層の接着機能によって家具表面１１と接合されている。
【００４５】
図２は、機能性コーティング１０ｂの異なる層配置を示す。配置は以下の通りである。
保護層１２
タッチセンサ層１３
情報表示層１４
装飾層２５
接着機能を持つ支持層１６
【００４６】
装飾層２５は、前もって選択された装飾を、恒久的に背景に表示するために使用される。情報表示層の表示は、その表示によって、装飾層２５の装飾を一時的に覆う。
【００４７】
図３は、機能性コーティング１０ｃのさらに異なる層配置を示す。
保護層１２
タッチセンサおよび情報表示層２６
装飾表示層１５
接着機能を持つ支持層１６
【００４８】
この変形例では、タッチセンサ層と情報層が効果的に結合して１層のタッチセンサおよび情報表示層２６となっている。
【００４９】
機能性コーティング１０は、図４乃至図１８に示される家具における家具表面１１に貼合される。図４乃至図１８に示される機能性コーティング１０は、前述の変形例の１０ａ、１０ｂおよび１０ｃを示している。別の層順序および層形状で機能性コーティング１０を得ることも可能である。
【００５０】
図１乃至図３による図示とは異なるが、この機能性コーティング１０は湾曲した家具表面１１にも貼合が可能である。
【００５１】
図１によると、機能性コーティング１０は、家具表面１１に面さない側に透明なスクラッチプルーフ素材で形成される保護層１２を備えることが好ましい。
【００５２】
それに対して、制御要素を形成するタッチセンサ要素が家具表面１１側に隣接し、タッチセンサ層１３となる。
【００５３】
その次に少なくとも１つの表示層が家具側に形成される。
【００５４】
表示層は単層であっても、多層構成内に配置されるものであってもよい。この場合、表示層は、情報表示に使用される情報表示層１４と、装飾表示に使用される装飾表示層１５とを備える。装飾表示層１５は、例えば発光層として配置してもよい。
【００５５】
情報を表示するための情報表示層１４（例えば電子ペーパー）は、プラグ２１（例えば、ＵＳＢ）によって、またはワイヤレスにて、制御機器（図示せず）に接続されることが好ましい。情報表示層１４はまた、マイクロプロセッサを備えることも可能である。
【００５６】
デザインを表示するための装飾表示層１５（例えば、ＯＬＥＤ）は、（好ましくは単に）電源に接続される。電源は“＋”および“−”の２極を単に記号で示している（参照番号：極２２）。前もって保存された情報のみが表示される場合、電圧源は充分であり（随意にバッテリーまたはコンデンサを使用してもよい）、該ディスプレイに統合することも可能である。
【００５７】
機能性膜として配置される機能性コーティング１０は例えば、接着層として配置される支持層１６によって、家具表面１１に貼付される。
【００５８】
各層１２乃至１６は、解説のために拡大して示されている。この機能性コーティングの寸法は、家具部材の表面全域に照明を施すといった例に至るまで、各々の適用に応じて変更が可能である。
【００５９】
図４および図５は、抜き差し可能な複数の引き出し１７を備える家具を示す。特に図５に示されているように、２つの機能性コーティング１０が、引き出し１７の上部の水平に延びる縁部に貼合されている。この図示とは異なるが、引き出し１９の前板１８のすべてが、少なくとも１つの機能性コーティングを備えることも可能である。
【００６０】
図６は、ベースキャビネットとして提供される引き出し１７を備える家具の上部に、ウォールキャビネットを配置したものを示す。
【００６１】
図７は、キッチン用ベースキャビネットの形をとる家具を示す。この家具はまた、それぞれ前板１８を備える６つの引き出し１７を備える。この実施形態では、家具は引き出し１７を覆う天板１９を備える。２つの制御要素２３が、各引き出し１７上部の天板１９の視認可能な前端に配置され、ユーザが触れると反応する。該制御要素の表示は、情報表示層によってなされる。ユーザによるコマンドの検知はタッチセンサ層によってなされる。この実施形態では、周囲縁に所謂エッジバンドが機能性コーティング１０という形をとって備えられている。図示されている実施形態とは異なるが、別の機能性コーティング１０を家具の視認可能な領域に貼合することもできる。
【００６２】
図８は、配置の拡大図である。
【００６３】
図９乃至図１１による配置は、図６乃至図８による実施形態とは異なり、制御要素２３は外側にあり、ウォールキャビネット２０のフラップの機能性コーティング１０内に貼合されている。この実施形態では、図１０および図１１の拡大図が示すように、各前板１８に２つの制御要素２３が、機能性コーティング内に備えられている。
【００６４】
図１２乃至図１４による実施形態は、図９乃至図１１による実施形態に略相当するが、装飾、模様などが機能性コーティング１０によるものである点が異なる。
【００６５】
少なくとも１つの表示層が、発光層として使用または構成されるＯＬＥＤで形成されているとよい。
【００６６】
家具１組に配置される制御要素２３の数は、家具の種類や備え付ける機能に関する必要条件によって異なる。
【００６７】
図１５乃至１８は、図１４および図１５とは異なり、さまざまな情報ディスプレイ２４を機能性コーティングで生成することが可能な例を示す。図１７および図１８は特に、制御要素２３が必要に応じて情報ディスプレイ２４内で表示、使用できる例を示している。
【００６８】
制御要素２３および情報ディスプレイ２４は、このように機能性コーティング１０の全域において生成できる。その結果、各ユーザにとって人間工学的に効果的な方法で、制御要素を生成することが可能である。装飾は随意に変更が可能であり、例えば無垢のオーク材が１分間表示され、その後１分間ピンクが表示される。ユーザ特有の情報はメモリに保存でき、ユーザの認識またはユーザの選択により、機能性コーティングに転送できる。その結果、機能性コーティングを備える該家具は、各ユーザの必要条件に合わせて調節可能となる。
【００６９】
機能性コーティングはまた、純粋に装飾用の膜（例えば、他の透明な膜の背景として使用する印刷紙）を備えることも可能である。
【００７０】
図１９および図２０はそれぞれ、家具２７の異なる状態を示す斜視図である。この家具２７は、少なくとも１つの情報層、すなわち表示層を備えるキッチン家具の一種で、機能性コーティングとして表示層が配置されている。該機能性コーティングはさらに、入力の際にも使用が可能である。この場合この機能性コーティングは表面領域を完全に覆っていることが好ましく、該表面上に、温度表示２９や入力フィールド３０といった表示要素を備える一種の機能性フィールド２８を形成するために使用される。該機能性コーティングは、例えばオーブンなどのキッチン家電用のユーザインターフェースの形で配置することができる。該キッチン家電は、家具と一体型にすることが可能である。該キッチン家電はまた、例えば別の場所に設置して、無線または有線のデータインターフェースで該家具と接続が可能である。
【００７１】
オプションとして、カメラ３１が提供される。
【００７２】
第１の変形例によると、機能性フィールド２８は、家具の固定位置に形成される。この機能性フィールド２８は、タッチスクリーン入力フィールドの形で配置し、移動可能なバーなどの付いた入力窓などのタッチスクリーン入力手段によって、キッチン家電の設定に（制御要素として）使用することが可能である。例えばオーブンに温度、時間などを入力することが可能である。
【００７３】
この場合、該機能性コーティングは、データインターフェースによって、該キッチン家電の制御装置と接続される。
【００７４】
機能性フィールド２８への入力は制御機器へ転送されて、キッチン家電の設定を変更し、例えばホットプレートなどの加熱を作動させる。
【００７５】
機能性フィールドはまた、該キッチン家電の実際の状態についての情報などの情報を表示するのに使用することも可能である。該器具に内蔵されたカメラ（カメラ３１とは別）が、オーブン内部の写真を撮り、その画像を表示フィールド３２上に表示することも可能である。
【００７６】
また、該機能性フィールドを、情報の表示のために配置することも可能である。例えば、オーブン内の実際の温度を表示したりすることが可能である。
【００７７】
該機能性フィールド２８は、該データインターフェースによって、コンピューター（ＰＣ）および／またはインターネットなどの別の機器に接続し、インターネットまたは他の記憶媒体から得た情報（レシピ、指示など）を表示することもできる。
【００７８】
比較的広い表面領域上に配置された機能性コーティングの場合、該機能性フィールド２８は、１箇所だけでなく、さまざまな位置に表示することが可能であり、該機能性コーティングの自由選択された位置に表示することも可能である。該機能性フィールド２８のサイズはさまざまに変更できるが、使用されるコンピューター技術から得たウィンドウ機能の技術を好適に使用できる。
【００７９】
また、カメラ３１によって、ユーザの身長を測定し、そのサイズによって、１つまたは複数の機能性フィールド２８を、家具（または複数の家具から成る家具設備）表面の異なる位置に表示できる点で、効果的である（例えば、図１９乃至２１）。
【符号の説明】
【００８０】
１０…機能性コーティング、１１…家具表面、１２…保護層、１３…タッチセンサ層、１４…情報表示層、１５…装飾表示層、１６…支持層、１７…引き出し、１８…前板、１９…天板、２０…ウォールキャビネット、２１…プラグ、２２…極、２３…制御要素、２４…情報ディスプレイ、２５…装飾層、２６…タッチセンサおよび情報表示層、２７…家具、２８…機能性フィールド、２９…温度表示、３０…入力フィールド、３１…カメラ、３２…表示フィールド
【図１】
0005789856.tif 000002
【図２】
0005789856.tif 000003
【図３】
0005789856.tif 000004
【図４】
0005789856.tif 000005
【図５】
0005789856.tif 000006
【図６】
0005789856.tif 000007
【図７】
0005789856.tif 000008
【図８】
0005789856.tif 000009
【図９】
0005789856.tif 000010
【図１０】
0005789856.tif 000011
【図１１】
0005789856.tif 000012
【図１２】
0005789856.tif 000013
【図１３】
0005789856.tif 000014
【図１４】
0005789856.tif 000015
【図１５】
0005789856.tif 000016
【図１６】
0005789856.tif 000017
【図１７】
0005789856.tif 000018
【図１８】
0005789856.tif 000019
【図１９】
0005789856.tif 000020
【図２０】
0005789856.tif 000021
【図２１】
0005789856.tif 000022